(57)【特許請求の範囲】
【請求項１】
筒状の筒部材および当該筒部材の開口を開閉する蓋部材とからなる配線口であって、前記蓋部材は、
前記開口の全部を閉封する全閉部材と、
前記開口の一部を閉封する半閉部材と、
がそれぞれ端部において略直角に交わる蓋部材であって、
前記筒部材は、前記蓋部材を前記開口と同一面に保持する水平リブを有し、
前記水平リブの端部と前記開口の縁部分との間には、隙間が形成され、
前記半閉部材を、前記筒部材の前記隙間を通して前記開口に垂直に挿入し、前記全閉部材で開口の全部を閉封する全閉状態と、
前記全閉部材を、前記筒部材の前記隙間を通して前記開口に垂直に挿入し、前記半閉部材で開口の一部を閉封する半閉状態と、
で、選択的に取り付け可能とし、
前記筒部材は、前記全閉部材を開方向に回転させた状態で保持する保持リブを有し、
前記保持リブは、前記全閉部材の最大回転時における延長線上に配置されていることを特徴とする、配線口。
【請求項２】
前記蓋部材の前記全閉部材の先端部分に、切り欠きを設けたことを特徴とする、請求項１に記載の配線口。
【請求項３】
前記筒部材と前記蓋部材とが互いに係合する係合部を設けたことを特徴とする、請求項１または２に記載の配線口。
【発明の詳細な説明】
【技術分野】
【０００１】
本発明は、テーブルや机等の天板面に設けた配線口に関する。
【背景技術】
【０００２】
従来、机天板の上面から下面へと配線を挿通するための配線口が設けられ、当該配線口の開口を開閉する手段としては、例えば、特許文献１乃至３記載の方法があるが、何れの方法も蓋部材を開閉する複雑な構造を要し、装置が大型化しやすくコストが高くなってしまうといった問題がある。
【０００３】
【特許文献１】特開２００５−１４３７５５号公報
【特許文献２】特開２００５−１０２９２７号公報
【特許文献３】特開２００４−２９８６５７号公報
【発明の概要】
【発明が解決しようとする課題】
【０００４】
本発明は、天板に形成された配線用の開口を簡単に開閉することが可能な配線口を提供することを課題とする。
【課題を解決するための手段】
【０００５】
上記課題を解決すべく、本発明の請求項１に記載の発明は、筒状の筒部材および当該筒部材の開口を閉封する蓋部材とからなる配線口であって、前記蓋部材は、前記開口の全部を閉封する全閉部材と、前記開口の一部を閉封する半閉部材と、がそれぞれ端部において略直角に交わる蓋部材であって、前記筒部材は、前記蓋部材を前記開口と同一面に保持する水平リブを有し、前記水平リブの端部と前記開口の縁部分との間には、隙間が形成され、前記半閉部材を、前記筒部材の前記隙間を通して前記開口に垂直に挿入し、前記全閉部材で開口の全部を閉封する全閉状態と、前記全閉部材を、前記筒部材の前記隙間を通して前記開口に垂直に挿入し、前記半閉部材で開口の一部を閉封する半閉状態と、で、選択的に取り付け可能と、前記筒部材は、前記全閉部材を開方向に回転させた状態で保持する保持リブを有し、前記保持リブは、前記全閉部材の最大回転時における延長線上に配置されていることを特徴とする、配線口である。当該構成によれば、蓋部材を配線口の開口へと選択的に取り付ける簡単な構成により、配線用の開口を簡単に開閉することが可能である。また、当該構成によれば、筒部材の内部に水平リブを設ける簡単な構成により、蓋部材を開口と同一面に取り付けることが可能である。また、蓋部材を取り外すことなく、回転させる簡単な構成により、開口を開封することが可能である。また、保持リブにより蓋部材が開口の内部へと脱落してしまうことを防止することが可能である。
【０００８】
また、請求項２に記載の発明は、請求項１に記載の蓋部材において、前記蓋部材の前記全閉部材の先端部分に、切り欠きを設けたことを特徴とする。当該構成によれば、切り欠きに指先をかけて、蓋部材を簡単に取り外すことが可能である。
【０００９】
また、請求項３に記載の発明は、請求項１または２に記載の蓋部材において、前記筒部材と前記蓋部材とが互いに係合する係合部を設けたことを特徴とする。例えば、蓋部材の側面に凹部を設け、筒部材の内部に凸部を設ける簡単な構成により、蓋部材を筒部材の開口へと簡単に固定することが可能である。
【発明の効果】
【００１０】
このように、本発明の配線口は、蓋部材を選択的に開口に取り付ける簡単な構成により、天板に形成された配線用の開口を開閉することが可能な配線口を提供することが可能である。
【発明を実施するための形態】
【００１１】
本発明の配線口３０の一例としては、図１（ａ）（ｂ）に示すように、筒部材２０および当該筒部材２０の上方の開口１を開閉する蓋部材１０からなる配線口３０であって、前記蓋部材１０は、前記開口１の全部を閉封する全閉部材Ａと、前記開口１の一部を閉封する半閉部材Ｂとで、蓋部材１０の向きを変えて前記開口１へと選択的に取り付けることが可能な配線口３０である。よって、机等の天板上に設けられた配線口３０の開口１を、使用時と不使用時において、簡単に開閉することが可能である。
【００１２】
以下に、本発明の配線口３０における、蓋部材１０および筒部材２０の各構成について説明する。まず、本発明の配線口における前記蓋部材１０は、図２（ａ）に示すように、前記蓋部材１０の側面視において、筒部材２０の開口１と略同一長の全閉部材Ａと、前記開口の略半分の長さからなる半閉部材Ｂとが、それぞれの端部Ｔにおいて直角に交わる部材である。そして、当該全閉部材Ａまたは半閉部材Ｂの何れかを、後述する、筒部材２０の開口１へと選択的に取り付けることにより、前記開口１の全部または一部を閉封する構成である。
【００１３】
他方、前記筒部材２０は、図２（ｂ）に示すように、当該筒部材２０の側面視において、上下方向に配線挿通用の貫通孔を有する略矩形状の筒部材２０であって、当該筒部材の上方に開口１を有する。
そして、当該開口面の直下には、水平方向にリブ３が形成されており、当該水平リブ３の直上に凸部４が形成され、さらに、前記水平リブ３の下方には保持リブ５が形成されている。そして、当該水平リブ３および凸部４および保持リブ５により、後述する、前記蓋部材１０を好適に保持するとともに、蓋部材１０が筒部材２０の内部に落下してしまうことを防止することが可能である。
【００１４】
また、前記筒部材２０の外周面には、複数の線状段部６を有し、前記開口１の外周には、筒部より外方に突出するフランジ２を有しており、テーブルの天板上に形成された取付孔に、前記筒部材２０を嵌め込んだ際に、前記フランジ２が天板面に当接して配線口３０の脱落を防止するとともに、前記線状段部６により配線口３０が天板上の取付孔から容易に取り外されることを防止する構成である。
【００１５】
また、図３（ａ）（ｂ）に示すように、蓋部材１０および筒部材２０の平面視において、蓋部材１０における全閉部材Ａと、筒部材２０の開口１とは略同形状をなしており、後述する、当該蓋部材１０の全閉部材Ａにより開口１の全部を閉封する構成である。
また、全閉部材Ａの先端部分には切欠きｃが形成されており、閉封状態の蓋部材１０を取り外す際に、全閉部材Ａの切欠きｃに指先等をかけて蓋部材１０を持ち上げることで、蓋部材１０を取り外すことが可能である。
【００１６】
特に、筒部材２０における前記開口１の内周に沿って、当該開口１の内方へと突出する前記水平リブ３が形成されており、蓋部材１０を開口面１に取り付ける際に、蓋部材１０が当該水平リブ３により保持される構成である。また、枠部材２０の開口１には、前記水平リブ３が設けられない隙間Ｐ（図中、点線枠部分）が形成されている。
【００１７】
当該隙間Ｐは、蓋部材１０の全閉部材Ａおよび半閉部材Ｂの断面形状より僅かに大きな隙間Ｐであって、後述する、蓋部材１０の取り付け時において、前記隙間Ｐから、蓋部材１０の前記全閉部材Ａおよび半閉部材Ｂの何れかを略垂直に挿入する構成である。
【００１８】
また、図４（ａ）（ｂ）に示すように、蓋部材１０および筒部材２０の前面視において、蓋部材１０の前記全閉部材Ａおよび半閉部材Ｂの側面には、その一部が凹没する凹部ａ、ｂ（係合部ａ、ｂ）が設けられている。
他方、前記筒部材２０における、開口面１の直下かつ水平リブ３の直上には、開口の内方に突出する凸部４が設けられている。
そして、前記蓋部材１０を筒部材２０の開口面に取り付けた際に、全閉部材Ａまたは半閉部材Ｂの何れかの凹部ａ、ｂと前記筒部材２０の凸部４とが、それぞれ凹凸係合することにより、蓋部材１０を筒部材２０の開口へと固定することが可能である。
【００１９】
さらに、筒部材２０の下方には、内方に突出する保持リブ５が形成されており、後述する、蓋部材１０を回転させた状態で保持することが可能であり、さらには、蓋部材１０が当該保持リブ５より下方へと脱落してしまうことを防止することが可能である。
【００２０】
このように、本発明の配線口３０は、図５に示すように、配線を挿通するための開口を有する筒部材２０と、当該筒部材２０の開口１を開閉するための蓋部材１０とを有し、前記蓋部材１０は、開口１を全閉する全閉部材Ａと、開口１を半閉する半閉部材Ｂとがそれぞれの端部において直交Ｔする蓋部材１０であって、後述する、半閉部材Ｂを開口１へと略垂直に挿入し、全閉部材Ａを開口面１に取り付けることにより、開口１の全部を閉封し、他方、全閉部材Ａを開口１へと略垂直に挿入し、半閉部材Ｂを開口面に取り付けることにより、開口の半分を閉封し、かつ半分の開口１を形成することが可能である。
【００２１】
以下に、前記蓋部材１０を前記筒部材２０の開口１へと選択的に取り付ける方法およびその使用形態の一例について説明する。
まず、本発明の配線口３０の全閉状態とは、図６（ａ）（ｂ）に示すように、蓋部材１０における全閉部材Ａが筒部材２０の前記水平リブ３に載置された状態であり、筒部材２０の開口面の全てを閉封した状態である。このとき、全閉部材Ａの端部に直交する半閉部材Ｂは、筒部材２０の内部に垂直に挿入された状態である。
【００２２】
また、当該配線口３０の全閉状態では、蓋部材１０の前記全閉部材Ａの側部に形成された凹部ａが、筒部材２０の水平リブ３の上方に形成された凸部４と係合しており、蓋部材１０が筒部材２０に固定されている。
【００２３】
次に、このような配線口３０の全閉状態から、使用時における開口１を形成するためには、まず、蓋部材１０の先端部分に形成された前記切欠きｃへと指先をかけて、上方へと軽く持ち上げることで、図７（ａ）（ｂ）に示すように、蓋部材１０の後端部分を軸に蓋部材１０の先端部分が上方向へと回動しつつ持ち上がる。このとき、蓋部材の凹部ａが、筒部材の凸部４を乗り越えて、蓋部材１０と筒部材２０との凹凸係合が外れる構成である。
【００２４】
特に、蓋部材１０の後端部分を支点、前記切欠きｃを力点、前記凹部ａを作用点とする「梃子」が形成されるため、蓋部材１０の先端部分を軽い力で持ち上げることで、蓋部材１０と筒部材２０との凹凸係合を簡単に解除することが可能である。
【００２５】
そして、蓋部材１０を把持して持ち上げることにより、図８に示すように、筒部材２０の内部に位置する半閉部材Ｂが前記隙間Ｐから抜けて、蓋部材１０を取り外すことが可能である。
【００２６】
次に、このようにして取り外した蓋部材１０を、再び前記開口１に取り付けて配線用の開口１を形成する方法について説明する。
まず、図９に示すように、前記取り外した蓋部材１０をその向きを変えて（すなわち、水平方向に１８０度回転させる）、半閉部材Ｂを上方に向け、全閉部材Ａを下方に向けた状態で、図１０に示すように、全閉部材Ａを前記開口１の隙間Ｐから筒部材２０の内部へと略垂直に挿入する。
【００２７】
そして、図１１に示すように、蓋部材１０の半閉部材Ｂを水平リブ３の上方に載置することで、筒部材の凸部４と半閉部材Ｂの凹部ｂとが係合して、蓋部材１０が筒部材２０へと固定される。このとき、半閉部材Ｂが開口１の一部を閉封するとともに、開口の他の一部が開封しており、当該一部の開口１を配線口として使用する構成である。
【００２８】
このように、本発明の配線口３０は、蓋部材１０の全閉部材Ａと半閉部材Ｂとの向きを変えて、選択的に開口１へと取り付けることにより、配線口の開口１を開閉することが可能である。
また、半閉状態から、再び全閉状態へと移行する際には、開口１に指先等を挿入し、半閉部材Ｂの下面を押し上げる等により、図１２に示すように、半閉部材Ｂの凹部ｂと筒部材２０の凸部４との係合を簡単に外すことが可能である。
【００２９】
特に、蓋部材１０の係合が外れた際に、半閉部材Ｂが回転しても、全閉部材Ａの回転軌道上に、前記保持リブ５が形成されており、筒部材２０の内部において、全閉部材Ａのさらなる回転を抑止することが可能である。よって、蓋部材１０が回転して筒部材２０の内部に脱落してしまうことを防止することが可能である。さらに、蓋部材１０を持ち上げ、全閉部材Ａが保持リブ５より上方に移動した際にも、図１３に示すように、全閉部材Ａが、水平リブ３の端部と開口１の縁部分とに挟まれるため、これ以上の回転を抑止することが可能である。
【００３０】
そして、前記蓋部材１０を持ち上げることにより、図１４に示すように、全閉部材Ａが隙間Ｐから抜けて、蓋部材１０を取り外すことが可能である。そして、蓋部材１０の向きを変えて、図１５に示すように、蓋部材の半閉部材Ｂを下向きに、開口１の隙間Ｐへと略垂直に挿入することで、図１６に示すように、再び、蓋部材１０を筒部材２０へと取り付けて全閉状態とすることが可能である。
【００３１】
このように、本発明の配線口３０は、開口１の全部を覆う部材Ａと、開口１の半分を覆う部材Ｂとが直角に交わる蓋部材１０を、筒部材２０の開口１へと選択的に取り付ける簡単な構成により、配線口３０の開口１を簡単に開閉することが可能である。
【００３２】
さらに、本発明の配線口３０は、筒部材２０の内部に設けた保持リブ５により、蓋部材１０が筒部材２０の内部に脱落してしまうことを防止するのみならず、全閉状態から蓋部材１０を回転させるだけで、蓋部材１０を取り外すことなく、開口１を形成することも可能である。
【００３３】
すなわち、蓋部材１０の全閉状態から、図１７に示すように、全閉部材Ａの先端部分を持ち上げて全閉部材Ａが回動する際に、全閉部材Ａを略垂直方向まで起立させることで、図１８に示すように、蓋部材１０が開口内部へと落下する。このとき、全閉部材Ａが垂直となるとともに、筒部材２０の内部において、半閉部材Ｂが略水平状態となり、当該半閉部材Ｂが筒部材２０の下方に形成された保持リブ５上に載置されるため、蓋部材１０の落下を防止することが可能であり、合わせて、配線口の開口１を形成することが可能である。
【００３４】
特に、前記保持リブ５は、図１９に示すように、水平リブ３と開口縁とで回動制限される全閉部材Ａの最大回動時αにおける延長線上に位置することで、蓋部材が下方に移動しても、常に半閉部材Ｂの一部が保持リブ５に当接するため、蓋部材１０の開口内部への落下を確実に防止することが可能である。
【００３５】
このように、本発明の配線口３０は、蓋部材１０を開口１へと選択的に取り付けることで、簡単に開口１を開閉することが可能であり、さらには、蓋部材１０を回転させることでも、開口１を開閉することが可能である。特に、蓋部材１０が開口内部へと落下してしまうことを防止することが可能である。
【００３６】
以上のように、本発明の配線口３０は、図２０に示すように、テーブルの天板に設けられた天板の上面から下面へと配線等を挿通可能な開口１を有する配線口３０であって、当該開口１を簡単な構成により開閉することが可能な配線口３０を提供することが可能である。
【００３７】
上記例では、水平リブ３が筒部材２０の３辺（前辺、左右辺）に沿って形成されるとともに、隙間Ｐが他の１辺に形成される例を示したが、前記水平リブ３は、少なくとも左右の２辺に形成されればよく、開口１の前後両方に前記隙間Ｐを形成することで、全閉部材Ａまたは半閉部材Ｂを、前後の隙間Ｐの何れかに挿入して開口１を閉封する構成であってもよい。このとき、前記保持リブ５は、上述の指定位置に形成することが望ましい。また、図中、水平リブ３が前後に断続的して形成されているが、これは、金型による成型上、水平リブ３と凸部４と保持リブ５とを一度に成型するためである。何れにせよ、リブの断続は成型上の問題であり、水平リブ３は当然に連続形状であってもよい。
【図面の簡単な説明】
【００３８】
【図１】本発明の配線口における（ａ）全閉状態（ｂ）半閉状態を示す斜視図である。
【図２】（ａ）蓋部材（ｂ）筒部材を示す側面図である。
【図３】（ａ）蓋部材（ｂ）筒部材を示す正面図である。
【図４】（ａ）蓋部材（ｂ）筒部材を示す前面図である。
【図５】本発明の配線口を示す斜視図である。
【図６】本発明の配線口を示す（ａ）説明斜視図（ｂ）側断面図である。
【図７】本発明の配線口を示す（ａ）説明斜視図（ｂ）側断面図である。
【図８】本発明の配線口を示す（ａ）説明斜視図（ｂ）側断面図である。
【図９】本発明の配線口を示す（ａ）説明斜視図（ｂ）側断面図である。
【図１０】本発明の配線口を示す（ａ）説明斜視図（ｂ）側断面図である。
【図１１】本発明の配線口を示す（ａ）説明斜視図（ｂ）側断面図である。
【図１２】本発明の配線口を示す（ａ）説明斜視図（ｂ）側断面図である。
【図１３】本発明の配線口を示す（ａ）説明斜視図（ｂ）側断面図である。
【図１４】本発明の配線口を示す（ａ）説明斜視図（ｂ）側断面図である。
【図１５】本発明の配線口を示す（ａ）説明斜視図（ｂ）側断面図である。
【図１６】本発明の配線口を示す（ａ）説明斜視図（ｂ）側断面図である。
【図１７】本発明の配線口を示す（ａ）説明斜視図（ｂ）側断面図である。
【図１８】本発明の配線口を示す（ａ）説明斜視図（ｂ）側断面図である。
【図１９】本発明の配線口を示す（ａ）説明斜視図（ｂ）側断面図である。
【図２０】本発明の配線口の使用例を示す図である。
【符号の説明】
【００３９】
１  開口
２  フランジ
３  水平リブ
４  凸部（係合部）
５  保持リブ
６  線状段部
１０  蓋部材
２０  筒部材
Ａ  全閉部材
Ｂ  半閉部材
Ｔ  直角部
ａ、ｂ  凹部（係合部）
ｃ  切欠き
Ｐ  隙間
α  全閉部材の回動限界線
【図１】
0005815222.tif 000002
【図２】
0005815222.tif 000003
【図３】
0005815222.tif 000004
【図４】
0005815222.tif 000005
【図５】
0005815222.tif 000006
【図６】
0005815222.tif 000007
【図７】
0005815222.tif 000008
【図８】
0005815222.tif 000009
【図９】
0005815222.tif 000010
【図１０】
0005815222.tif 000011
【図１１】
0005815222.tif 000012
【図１２】
0005815222.tif 000013
【図１３】
0005815222.tif 000014
【図１４】
0005815222.tif 000015
【図１５】
0005815222.tif 000016
【図１６】
0005815222.tif 000017
【図１７】
0005815222.tif 000018
【図１８】
0005815222.tif 000019
【図１９】
0005815222.tif 000020
【図２０】
0005815222.tif 000021